【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
（ａ）重合性部分、および
（ｂ）置換基を有するアリール核を含む光反応性部分であって、該置換基が該アリール核のπ系に共役するカルボニル基もしくはカルボキシル基を含む光反応性部分
を含む重合性モノマー。
【請求項２】
請求項１に記載の重合性モノマーであって、該重合性部分がビニル部分、アクリレート部分もしくはメタクリレート部分である重合性モノマー。
【請求項３】
請求項１に記載の重合性モノマーであって、
【化１】
2005516114.tif 000001
から選ばれるメンバーである式を有し、式中
Ｒ１、Ｒ２およびＲ３がＨ、ＮＲ４Ｒ５、ＯＲ６、置換もしくは非置換アルキル、置換もしくは非置換ヘテロアルキルおよび置換もしくは非置換アリールからなる群から独立して選ばれるメンバーであり、
Ｘ１、Ｘ２およびＸ３がＯ、ＮＲ７Ｒ８およびＳからなる群から独立して選ばれるメンバーであり、ならびに
Ｒ４、Ｒ５、Ｒ６、Ｒ７、およびＲ８がＨ、置換もしくは非置換アルキル、置換もしくは非置換ヘテロアルキルおよび置換もしくは非置換アリールからなる群から独立して選ばれるメンバーであるものとする
重合性モノマー。
【請求項４】
請求項１に記載の重合性モノマーであって、α−シアノ−４−メタクリロイルオキシケイ皮酸、２，５−ジメタクリロイルオキシ安息香酸および２，６−ジメタクリロイルオキシアセトフェノンからなる群から選ばれる重合性モノマー。
【請求項５】
光反応性ポリマーを含むポリマー物質であって、該光反応性ポリマーが高フルエンス源からの光線を吸収して熱エネルギーを発生し、該熱エネルギーを転移して、光反応性ポリマーと有効に接触している被分析分子の脱離およびイオン化を可能にするポリマー物質。
【請求項６】
請求項５に記載のポリマー物質であって、該光反応性ポリマーが置換基を有するアリール核を含有する部分を含み、該置換基が該アリール核のπ系に共役するカルボニル基もしくはカルボキシル基を含むポリマー物質。
【請求項７】
請求項５に記載のポリマー物質であって、該光反応性ポリマーが式：
【化２】
2005516114.tif 000002
を有し、式中
Ｒ１、Ｒ２およびＲ３がＨ、ＮＲ４Ｒ５、ＯＲ６、置換もしくは非置換アルキル、置換もしくは非置換ヘテロアルキルおよび置換もしくは非置換アリールからなる群から独立して選ばれるメンバーであり、
Ｘ１、Ｘ２およびＸ３がＯ、ＮＲ７Ｒ８およびＳからなる群から独立して選ばれるメンバーであり、ならびに
Ｒ４、Ｒ５、Ｒ６、Ｒ７、およびＲ８がＨ、置換もしくは非置換アルキル、置換もしくは非置換ヘテロアルキルおよび置換もしくは非置換アリールからなる群から独立して選ばれるメンバーであるものとする
サブユニットを含むポリマー物質。
【請求項８】
請求項５に記載のポリマー物質であって、該光反応性ポリマーがα−シアノ−４−メタクリロイルオキシケイ皮酸、２，５−ジメタクリロイルオキシ安息香酸、２，６−ジメタクリロイルオキシアセトフェノンおよびこれらの組合せからなる群から選ばれるモノマーを含むポリマー物質。
【請求項９】
請求項５に記載のポリマー物質であって、該光反応性ポリマーが赤外レーザーからの光を吸収する部分を含むポリマー物質。
【請求項１０】
請求項５に記載のポリマー物質であって、さらに結合官能部分もしくは反応性官能部分を含むポリマー物質。
【請求項１１】
請求項１０に記載のポリマー物質であって、該結合官能部分もしくは反応性官能部分が静電官能部分、疎水性官能部分、水素結合官能部分、配位共有結合官能部分、共有結合官能部分、エポキシド官能部分、カルボジイミダゾール官能部分、生体特異的結合官能部分およびこれらの組合せから選ばれるポリマー物質。
【請求項１２】
請求項１０に記載のポリマー物質であって、該光反応性ポリマーが光反応性モノマーサブユニット、および該官能部分で誘導体化された官能化モノマーサブユニットを含むコポリマーであるポリマー物質。
【請求項１３】
請求項１０に記載のポリマー物質であって、該光反応性ポリマー、および該官能部分で誘導体化された官能化モノマーもしくはポリマーを含有するポリマー混合物を含むポリマー物質。
【請求項１４】
請求項６に記載のポリマー物質であって、該ポリマーが直鎖ポリマーであるポリマー物質。
【請求項１５】
請求項６に記載のポリマー物質であって、α−シアノ−４−メタクリロイルオキシケイ皮酸とオクタデシルメタクリレートとの間で形成されるポリマーを含むポリマー物質。
【請求項１６】
請求項１４に記載のポリマー物質であって、該直鎖ポリマーがコポリマーであるポリマー物質。
【請求項１７】
請求項１５に記載のポリマー物質であって、該直鎖コポリマーがスペーサ・モノマーサブユニットを含むポリマー物質。
【請求項１８】
請求項１５に記載のポリマー物質であって、該直鎖コポリマーが結合官能部分を有するモノマー単位を含むポリマー物質。
【請求項１９】
請求項６に記載のポリマー物質であって、該ポリマーが架橋型ポリマーであるポリマー物質。
【請求項２０】
請求項１９に記載のポリマー物質であって、該架橋型ポリマーがスペーサ・モノマー単位を含むポリマー物質。
【請求項２１】
請求項１９に記載のポリマー物質であって、該架橋型ポリマーが結合官能部分を有するモノマー単位を含むポリマー物質。
【請求項２２】
（ａ）表面を有する基体、および
（ｂ）該表面に結合したポリマー物質であって、光反応性ポリマーを含み、該光反応性ポリマーが高フルエンス源からの光線を吸収して熱エネルギーを発生し、該熱エネルギーを転移して、該光反応性ポリマーと有効に接触している被分析分子の脱離およびイオン化を可能にするポリマー物質
を含むデバイス。
【請求項２３】
請求項２２に記載のデバイスであって、該光反応性ポリマーが置換基を有するアリール核を含有する部分を含み、該置換基が該アリール核のπ系に共役するカルボニル基もしくはカルボキシル基を含むデバイス。
【請求項２４】
請求項２２に記載のデバイスであって、該光反応性ポリマーが式：
【化３】
2005516114.tif 000003
を有し、式中
Ｒ１、Ｒ２およびＲ３がＨ、ＮＲ４Ｒ５、ＯＲ６、置換もしくは非置換アルキル、置換もしくは非置換ヘテロアルキルおよび置換もしくは非置換アリールからなる群から独立して選ばれるメンバーであり、
Ｘ１、Ｘ２およびＸ３がＯ、ＮＲ７Ｒ８およびＳからなる群から独立して選ばれるメンバーであり、ならびに
Ｒ４、Ｒ５、Ｒ６、Ｒ７、およびＲ８がＨ、置換もしくは非置換アルキル、置換もしくは非置換ヘテロアルキルおよび置換もしくは非置換アリールからなる群から独立して選ばれるメンバーであるものとする
サブユニットを含むデバイス。
【請求項２５】
請求項２２に記載のデバイスであって、該光反応性ポリマーがα−シアノ−４−メタクリロイルオキシケイ皮酸、２，５−ジメタクリロイルオキシ安息香酸、２，６−ジメタクリロイルオキシアセトフェノンおよびこれらの組合せからなる群から選ばれるモノマーを含むデバイス。
【請求項２６】
請求項２２に記載のデバイスであって、該光反応性ポリマーが赤外レーザーからの光を吸収する部分を含むデバイス。
【請求項２７】
請求項２２に記載のデバイスであって、該ポリマー物質が、さらに結合官能部分もしくは反応性官能部分を含むデバイス。
【請求項２８】
請求項２２に記載のデバイスであって、該光反応性ポリマーがα−シアノ−４−メタクリロイルオキシケイ皮酸とオクタデシルメタクリレートとの間で形成されるポリマーを含むデバイス。
【請求項２９】
請求項２７に記載のデバイスであって、該結合官能部分もしくは反応性官能部分が静電官能部分、疎水性官能部分、水素結合官能部分、配位共有結合官能部分、共有結合官能部分、エポキシド官能部分、カルボジイミダゾール官能部分、生体特異的結合官能部分およびこれらの組合せから選ばれるデバイス。
【請求項３０】
請求項２２に記載のデバイスであって、該ポリマーが直鎖ポリマーであるデバイス。
【請求項３１】
請求項３０に記載のデバイスであって、該直鎖ポリマーがコポリマーであるデバイス。
【請求項３２】
請求項３１に記載のデバイスであって、該直鎖コポリマーがスペーサ・モノマーサブユニットを含むデバイス。
【請求項３３】
請求項３１に記載のデバイスであって、該直鎖コポリマーが結合官能部分を有するモノマー単位を含むデバイス。
【請求項３４】
請求項２２に記載のデバイスであって、該ポリマー物質が、さらに静電官能部分、疎水性官能部分、水素結合官能部分、配位共有結合官能部分、共有結合官能部分、生体特異的結合官能部分およびこれらの組合せから選ばれる官能部分を含むデバイス。
【請求項３５】
請求項２２に記載のデバイスであって、該光反応性ポリマーが光反応性モノマーサブユニット、および該官能部分で誘導体化された官能化モノマーサブユニットを含むコポリマーであるデバイス。
【請求項３６】
請求項２２に記載のデバイスであって、該ポリマー物質が、該光反応性ポリマー、および該官能部分で誘導体化された官能化モノマーもしくはポリマーを含有するポリマー混合物を含むデバイス。
【請求項３７】
請求項２２に記載のデバイスであって、該ポリマーが架橋型ポリマーであるデバイス。
【請求項３８】
請求項３７に記載のデバイスであって、該架橋型ポリマーがモノマーサブユニットを含むデバイス。
【請求項３９】
請求項３７に記載のデバイスであって、該架橋型ポリマーが結合官能部分を有するモノマー単位を含むデバイス。
【請求項４０】
請求項２２に記載のデバイスであって、該ポリマー物質が、物理的付着によって該表面に結合しているデバイス。
【請求項４１】
請求項２２に記載のデバイスであって、該ポリマー物質が、共有結合によって該表面に結合しているデバイス。
【請求項４２】
請求項４１に記載のデバイスであって、該共有結合が、該基体表面上の重合性部分と該ポリマーを形成するモノマーの重合性部分との間の重合反応から生じるデバイス。
【請求項４３】
請求項２２に記載のデバイスであって、さらに該ポリマー物質上に吸着した被分析物を含むデバイス。
【請求項４４】
請求項２２に記載のデバイスであって、該基体が質量分析計に取り出し可能に挿入可能なプローブの形をとるデバイス。
【請求項４５】
請求項２２に記載のデバイスであって、該光反応性ポリマーが該官能部分で誘導体化されたホモポリマーであるデバイス。
【請求項４６】
請求項２２に記載のデバイスであって、該ポリマーが複数のアドレス可能な位置にある該基体に結合しているデバイス。
【請求項４７】
デバイスの作製方法であって、
（ａ）第１の光反応性重合性モノマーを含むポリマー前駆体と基体表面を接触させ、
（ｂ）該ポリマー前駆体を重合することにより光反応性ポリマーの層を形成し、および
（ｃ）該光反応性ポリマーの層を該表面に固定化すること
を含む方法。
【請求項４８】
請求項４７に記載の方法であって、該光反応性ポリマーが
（ｉ）置換基を有するアリール核を含有する光反応性部分であって、該置換基が該アリール核のπ系に共役するカルボニル基もしくはカルボキシル基を有する光反応性部分
を有する第１の光反応性モノマーを含む方法。
【請求項４９】
請求項４７に記載の方法であって、該ポリマー前駆体が、さらに該第１の重合性モノマーと異なる構造を有する第２のモノマーを含む方法。
【請求項５０】
請求項４９に記載の方法であって、該第２のモノマーが第２の光反応性モノマー、結合官能部分もしくは反応性官能部分を含む部分、架橋性モノマーおよびこれらの組合せから選ばれるメンバーである方法。
【請求項５１】
請求項４７に記載の方法であって、該表面が重合性部分を含み、固定化が該光反応性ポリマーの重合性モノマー前駆体と該表面上の重合性部分との間の共有結合から生じる方法。
【請求項５２】
デバイスの作製方法であって、
（ａ）基体表面を光反応性ポリマーを含むポリマー物質と接触させ、ここで、該光反応性ポリマーは、該光反応性ポリマーが高フルエンス源からの光線を吸収して熱エネルギーを発生し、該熱エネルギーを転移して、該光反応性ポリマーと有効に接触している被分析分子の脱離およびイオン化を可能にするものとし、および
（ｂ）該ポリマー物質を該表面に固定化することによって該表面に該ポリマー物質の層を形成させること
を含む方法。
【請求項５３】
請求項５２に記載の方法であって、該光反応性ポリマーが
（ｉ）置換基を有するアリール核を含有する光反応性部分であって、該置換基が該アリール核のπ系に共役するカルボニル基もしくはカルボキシル基を有する光反応性部分
を含む方法。
【請求項５４】
請求項５２に記載の方法であって、該光反応性ポリマーが該第１の光反応性ポリマーと異なる構造を有する第２のポリマー化学種を含む方法。
【請求項５５】
請求項５２に記載の方法であって、該第２のポリマー化学種が、第２のポリマー性光反応性化学種、ポリマー性被分析物結合化学種、ポリマー性架橋性化学種およびこれらの組合せから選ばれるメンバーである方法。
【請求項５６】
被分析物を検出する方法であって、
（ａ）（ｉ）表面を有する基体、および
（ｉｉ）該表面に結合しているポリマー物質であって、該ポリマー物質が光反応性物質を含み、該光反応性物質が高フルエンス源からの光線を吸収して熱エネルギーを発生し、該熱エネルギーを転移して、該光反応性ポリマーと有効に接触している被分析分子の脱離およびイオン化を可能にするものとするポリマー物質
を含有するデバイスを用意し、
（ｂ）被分析物を該表面の該ポリマー物質と接触させ、および
（ｃ）高フルエンス源からの光線でデバイスの表面を調べ、気相イオン分光分析法により該被分析物を検出すること
を含む方法。
【請求項５７】
請求項５６に記載の方法であって、該気相イオン分光分析法がレーザー脱離／イオン化質量分析法である方法。
【請求項５８】
請求項５６に記載の方法であって、該ポリマー物質が、該被分析物を捕獲する結合官能部分を有するモノマー単位を含む方法。
【請求項５９】
（ａ）表面を含む基体、
（ｂ）重合性モノマーを含む容器であって、該モノマーが
（ｉ）重合性部分、および
（ｉｉ）置換基を有するアリール核を含有する光反応性部分であって、該置換基が該アリール核のπ系に共役するカルボニル基もしくはカルボキシル基を有する光反応性部分
を有する容器
を含むキット。
【請求項６０】
請求項５９に記載のキットであって、さらに
ｃ）重合開始剤を有する容器
を含むキット。
【請求項６１】
請求項５９に記載のキットであって、さらに
ｃ）結合官能部分もしくは反応性官能部分を有する第２の重合性部分を有する容器
を含むキット。
【請求項６２】
請求項５９に記載のキットであって、該基体表面が重合性部分を含むキット。